(57)【要約】【課題】新たな設備投資を抑えながら、容易に入退出を管理する。【解決手段】電子キーと通信可能な管理装置が、前記電子キーから送信される信号の正当性を照合するための照合用情報を記憶する。前記電子キーから発信される特定省電力無線に準拠した信号を受信し、該受信した信号と、前記照合用情報とを照合する。前記受信照合手段による照合結果が、合致だった場合に前記電子キーを利用する利用者が管理対象とするエリアに入退出したと判断し、現在の時刻と、入退出した旨とを紐付けて記憶する。【選択図】図１
2013041363.tif 000002
【特許請求の範囲】
【請求項１】
電子キーと通信可能な管理装置であって、
前記電子キーから送信される信号の正当性を照合するための照合用情報を記憶する第１の記憶手段と、
前記電子キーから発信される特定省電力無線に準拠した信号を受信し、該受信した信号と、前記照合用情報とを照合する受信照合手段と、
前記受信照合手段による照合結果が、合致だった場合に前記電子キーを利用する利用者が管理対象とするエリアに入退出したと判断し、現在の時刻と、入退出した旨とを紐付けて記憶する第２の記憶手段と、
を備えることを特徴とする管理装置。
【請求項２】
請求項１に記載の管理装置であって、
前記電子キーから第１の信号が送信されてきた場合であって、該第１の信号についての前記照合の結果が合致だった場合に前記電子キーを利用する利用者が管理対象とするエリアに入ったと判断し、現在の時刻と、入った旨とを紐付けて記憶し、
前記電子キーから第２の信号が送信されてきた場合であって、該第２の信号についての前記照合の結果が合致だった場合に前記電子キーを利用する利用者が管理対象とするエリアから出たと判断し、現在の時刻と、出た旨とを紐付けて記憶することを特徴とする管理装置。
【請求項３】
請求項１又は２に記載の管理装置であって、
前記電子キーから発信される異なる内容の信号のそれぞれに、入退出に関する行動の何れかを割り付け、
受信した或る内容の信号についての前記受信照合手段による照合結果が、合致だった場合に前記電子キーを利用する利用者が前記或る内容の信号に前記割り付けられた行動を取ったと判断することを特徴とする管理装置。
【請求項４】
請求項１乃至３の何れか１項に記載の管理装置であって、
当該管理装置を休止状態とする場合であっても、少なくとも前記受信照合手段は起動させておき、該休止状態時に行われた該受信照合手段による前記照合結果が、合致だった場合であって前記電子キーを利用する利用者が管理対象とするエリアに入ったと判断できた場合には該休止状態を解除して当該管理装置全体を起動させることを特徴とする管理装置。
【請求項５】
請求項１乃至４の何れか１項に記載の管理装置であって、
前記受信照合手段による前記照合結果が、合致だった場合であって前記電子キーを利用する利用者が管理対象とするエリアから出たと判断できた場合には、当該管理装置を休止状態とすることを特徴とする管理装置。
【請求項６】
電子キーと、該電子キーと通信可能な管理装置と、を含む入退出管理システムであって、
前記電子キーは、該電子キーが有する操作受付部に対しての、操作を継続して受けた時間、操作の受け付け回数、及び、操作を受け付けた操作受付部の種別、の何れか若しくはその組合せに応じて異なる信号を生成し、生成した該信号を特定省電力無線に準拠した信号に変換して前記管理装置に対して送信し、
前記管理装置は請求項１乃至５の何れか１項に記載の管理装置である、
ことを特徴とする入退出管理システム。
【請求項７】
電子キーと、該電子キーと通信可能な複数の管理装置と、を含む入退出管理システムであって、
前記電子キーは、特定省電力無線に準拠した信号を前記複数の管理装置の何れかを宛先として前記複数の管理装置の何れかに対して送信し、
前記複数の管理装置は請求項１乃至５の何れか１項に記載の管理装置であり、
前記電子キーからの前記信号を受信した管理装置は、該管理装置が前記宛先とされた管理装置では無い場合は、該受信した信号を他の管理装置に対して特定省電力無線に準拠して送信する、
ことを特徴とする入退出管理システム。
【請求項８】
電子キーと、該電子キーと通信可能な複数の管理装置と、を含む入退出管理システムであって、
前記電子キーは、特定省電力無線に準拠した信号を前記複数の管理装置の何れかを宛先として前記複数の管理装置の何れかに対して送信し、
前記複数の管理装置は請求項１乃至５の何れか１項に記載の管理装置であり、
前記複数の管理装置の何れかをサーバとし、前記電子キーからの前記信号を受信した該サーバとされた管理装置は該管理装置が前記宛先とされた管理装置では無い場合であっても該受信した信号に対して前記受信照合手段及び前記第２の記憶手段を動作させることを特徴とする入退出管理システム。
【請求項９】
電子キーと通信可能な管理装置に組み込まれる管理プログラムであって、
前記電子キーから送信される信号の正当性を照合するための照合用情報を記憶する第１の記憶手段と、
前記電子キーから発信される特定省電力無線に準拠した信号を受信し、該受信した信号と、前記照合用情報とを照合する受信照合手段と、
前記受信照合手段による照合結果が、合致だった場合に前記電子キーを利用する利用者が管理対象とするエリアに入退出したと判断し、現在の時刻と、入退出した旨とを紐付けて記憶する第２の記憶手段と、
を備える管理装置としてコンピュータを機能させることを特徴とする管理プログラム。
【請求項１０】
電子キーと、該電子キーと通信可能な複数の管理装置と、を含む入退出管理システムが行う入退出管理方法であって、
前記管理装置が、前記電子キーから送信される信号の正当性を照合するための照合用情報を記憶する第１の記憶ステップと、
前記電子キーが、特定省電力無線に準拠した信号を前記管理装置に対して送信する送信ステップと、
前記管理装置が、前記送信ステップにおいて前記電子キーから発信された特定省電力無線に準拠した信号を受信し、該受信した信号と、前記照合用情報とを照合する受信照合ステップと、
前記管理装置が、前記受信照合ステップによる照合結果が、合致だった場合に前記電子キーを利用する利用者が管理対象とするエリアに入退出したと判断し、現在の時刻と、入退出した旨とを紐付けて記憶する第２の記憶ステップと、
を有することを特徴とする入退出管理方法。
【発明の詳細な説明】
【技術分野】
【０００１】
本発明は、所定のエリア内における利用者の入退出の管理に関する。
【背景技術】
【０００２】
利用者の入退を管理するシステムは種々の用途に用いられている。例えば、企業内にて社員の出勤及び退勤の時刻を管理するために利用される。
【０００３】
このような用途に利用する場合、一般的な技術では出勤や退勤の際、タイムカードにて出勤時刻を登録していた。また、他にも、個人管理のＩＣカードや磁気カードにて、個人を認証し、出勤時刻を登録していた。
【０００４】
出勤及び退勤を管理する技術の一例が特許文献１に記載されている。特許文献１（特に明細書段落［００２１］〜［００２３］）に記載の技術ではカードリーダに対してＩＤカードに記録された情報を読み込ませる。これにより、被雇用者の出勤及び退勤の時刻がサーバに送信され、サーバにて被雇用者の勤務状態が管理可能となる。
【先行技術文献】
【特許文献】
【０００５】
【特許文献１】特開２００７−３１０４８６号公報
【発明の概要】
【発明が解決しようとする課題】
【０００６】
上述のように、入退を管理する技術としては種々のものが存在したが、それぞれについて、以下に述べるような問題点が生じていた。
【０００７】
まず、タイムカードを利用する技術の場合は、紙により作成されたタイムカードに時刻を打刻するだけであり個人認証の面で懸念がある。
【０００８】
また、打刻したタイムカードがどの社員のものかということを読み取るわけではない。そのため、入室又は退出した個人がどの社員であるかを特定することが難しい。特定するためには管理者がタイムカードを目視する必要があり不便である。更に、紙の管理や紙上のデータの取りまとめの点で問題がある。
【０００９】
また、引用文献１に記載の技術のように、個人管理のＩＣチップカードや磁気カードを利用する技術の場合、専用カードを作る必要があり、また、カード読み取り機器も必要となる。また、出勤時間が重なった場合に混雑を緩和させるためにはカード読み取り機器は複数台必要となる。また、オフィス等の入り口が複数ある場合にも、カード読み取り機器は複数台必要となる。よって、設備面の初期投資費用が多額になってしまう。それ以外に携帯電話を使った方法も考えられるが、使用する電波領域には法的な制限が課されており安易に使用できない。
【００１０】
そこで、本発明は、新たな設備投資を抑えながら、容易に入退出を管理することが可能な、入退出管理システム及び入退出管理方法並びに管理装置及び管理プログラムを提供することを目的とする。
【課題を解決するための手段】
【００１１】
本発明の第１の観点によれば、電子キーと通信可能な管理装置であって、前記電子キーから送信される信号の正当性を照合するための照合用情報を記憶する第１の記憶手段と、前記電子キーから発信される特定省電力無線に準拠した信号を受信し、該受信した信号と、前記照合用情報とを照合する受信照合手段と、前記受信照合手段による照合結果が、合致だった場合に前記電子キーを利用する利用者が管理対象とするエリアに入退出したと判断し、現在の時刻と、入退出した旨とを紐付けて記憶する第２の記憶手段と、を備えることを特徴とする管理装置が提供される。
【００１２】
本発明の第２の観点によれば、電子キーと、該電子キーと通信可能な管理装置と、を含む入退出管理システムであって、前記電子キーは、該電子キーが有する操作受付部に対しての、操作を継続して受けた時間、操作の受け付け回数、又は、操作を受け付けた操作受付部の種別、の何れか若しくはその組合せに応じて異なる信号を生成し、生成した該信号を特定省電力無線に準拠した信号に変換して前記管理装置に対して送信し、前記管理装置は上記本発明の第１の観点により提供される管理装置である、ことを特徴とする入退出管理システムが提供される。
【００１３】
本発明の第３の観点によれば、電子キーと、該電子キーと通信可能な複数の管理装置と、を含む入退出管理システムであって、前記電子キーは、特定省電力無線に準拠した信号を前記複数の管理装置の何れかを宛先として前記複数の管理装置の何れかに対して送信し、前記複数の管理装置は上記本発明の第１の観点により提供される管理装置であり、前記電子キーからの前記信号を受信した管理装置は、該管理装置が前記宛先とされた管理装置では無い場合は、該受信した信号を他の管理装置に対して特定省電力無線に準拠して送信する、ことを特徴とする入退出管理システムが提供される。
【００１４】
本発明の第４の観点によれば、電子キーと、該電子キーと通信可能な複数の管理装置と、を含む入退出管理システムであって、前記電子キーは、特定省電力無線に準拠した信号を前記複数の管理装置の何れかを宛先として前記複数の管理装置の何れかに対して送信し、前記複数の管理装置は上記本発明の第１の観点により提供される管理装置であり、前記複数の管理装置の何れかをサーバとし、前記電子キーからの前記信号を受信した該サーバとされた管理装置は該管理装置が前記宛先とされた管理装置では無い場合であっても該受信した信号に対して前記受信照合手段及び前記第２の記憶手段を動作させることを特徴とする入退出管理システムが提供される。
【００１５】
本発明の第５の観点によれば、電子キーと通信可能な管理装置に組み込まれる管理プログラムであって、前記電子キーから送信される信号の正当性を照合するための照合用情報を記憶する第１の記憶手段と、前記電子キーから発信される特定省電力無線に準拠した信号を受信し、該受信した信号と、前記照合用情報とを照合する受信照合手段と、前記受信照合手段による照合結果が、合致だった場合に前記電子キーを利用する利用者が管理対象とするエリアに入退出したと判断し、現在の時刻と、入退出した旨とを紐付けて記憶する第２の記憶手段と、を備える管理装置としてコンピュータを機能させることを特徴とする管理プログラムが提供される。
【００１６】
本発明の第６の観点によれば、電子キーと、該電子キーと通信可能な複数の管理装置と、を含む入退出管理システムが行う入退出管理方法であって、前記管理装置が、前記電子キーから送信される信号の正当性を照合するための照合用情報を記憶する第１の記憶ステップと、前記電子キーが、特定省電力無線に準拠した信号を前記管理装置に対して送信する送信ステップと、前記管理装置が、前記送信ステップにおいて前記電子キーから発信された特定省電力無線に準拠した信号を受信し、該受信した信号と、前記照合用情報とを照合する受信照合ステップと、前記管理装置が、前記受信照合ステップによる照合結果が、合致だった場合に前記電子キーを利用する利用者が管理対象とするエリアに入退出したと判断し、現在の時刻と、入退出した旨とを紐付けて記憶する第２の記憶ステップと、を有することを特徴とする入退出管理方法が提供される。
【発明の効果】
【００１７】
本発明によれば、電子キーに対応した照合用暗号化情報を管理装置に入力しておき、電子キーから送信した信号について管理装置が照合を実施することから、新たな設備投資を抑えながら、容易に入退出を管理することが可能となる。
【図面の簡単な説明】
【００１８】
【図１】本発明の第１の実施形態の基本的構成を表す図である。
【図２】本発明の第１の実施形態の基本的動作を表すフローチャートである。
【図３】本発明の第２の実施形態の基本的構成を表す図である。
【図４】本発明の第２の実施形態のシステム全体の構成例を表す図である。
【図５−１】本発明の第２の実施形態の基本的動作を表すフローチャート（１／３）である。
【図５−２】本発明の第２の実施形態の基本的動作を表すフローチャート（２／３）である。
【図５−３】本発明の第２の実施形態の基本的動作を表すフローチャート（３／３）である。
【発明を実施するための形態】
【００１９】
次に、本発明の実施形態について図面を用いて詳細に説明する。
【００２０】
図１を参照すると、本実施形態である勤務管理システムは、電子キー１００及び管理装置２００を含む。
【００２１】
本実施形態は、特定小電力無線を利用した勤務管理システムである。オフィス等内にあるコンピュータやサーバに対して、キーレスエントリシステム受信機側の暗号化情報を入力することにより、電子キーによる出勤確証を行うことを可能にしている。
【００２２】
電子キー１００は、特定小電力無線に対応した電子キーである。電子キー１００の具体例としては、例えば自動車のキーレスエントリシステムに対応した電子キーが挙げられる。ここで、キーレスエントリシステムとは機械的な鍵を使用することなく、車両の開閉部の開閉や、エンジンの始動等を可能とするシステムを指すものとする。
【００２３】
本実施形態では、電子キー１００はボタン１０１及び発信部１０２を含む。
【００２４】
ボタン１０１はユーザによる操作を受け付ける。ここで受け付ける操作は、単に入力の有無だけでもよいが、入力されている時間の長さを考慮してもよい。また、ボタン１０１は一つであっても良いが複数であってもよい。
【００２５】
発信部１０２はボタン１０１が受け付けた操作に応じて特定小電力無線に準拠した信号を発信する。ここで、特定小電力無線とは、免許を要しない無線通信方式であり、電波法に規定される無線局の免許を受けることなく利用可能である。特定小電力無線に準拠した信号は低レベルなものであり、平成２３年８月３日の時点において発射される電波の強さは、空中線電力０．０１Ｗ以下とするように規定されている。
【００２６】
管理装置２００は、入力部２０１、受信照合部２０２、制御部２０３、暗号化情報記憶部及びデータ記憶部２０５を有している。
【００２７】
管理装置２００は、社員の出退勤を管理するための装置である。管理装置２００は、具体的にはどのような機器により実現されてもよい。汎用のサーバ装置や、パーソナルコンピュータにより実現されてもよく、本実施形態専用の装置により実現されてもよい。
【００２８】
また、本発明の実施形態である管理装置２００は、ハードウェアにより実現することもできるが、コンピュータを管理装置２００として機能させるためのプログラムをコンピュータがコンピュータ読み取り可能な記録媒体から読み込んで実行することによっても実現することができる。
【００２９】
また、本発明の実施形態による管理方法は、ハードウェアにより実現することもできるが、コンピュータにその方法を実行させるためのプログラムをコンピュータがコンピュータ読み取り可能な記録媒体から読み込んで実行することによっても実現することができる。
【００３０】
すなわち、汎用のサーバ装置や、パーソナルコンピュータ等に本実施形態特有のプログラムを組み込み、汎用のサーバ装置や、パーソナルコンピュータ等に含まれる演算処理装置がこのプログラムに従った演算処理によりハードウェアを制御することにより管理装置２００内の各部を実現することができる。
【００３１】
入力部２０１は、利用者からの入力を受け付ける部分であり、例えばキーボード等の装置により実現される。また、入力部２０１を、インターネット等のネットワークを介して外部と通信可能な通信部としたり、記録媒体の読み出し部として、インターネット等や記録媒体を介して情報の入力を受け付けるようにしてもよい。入力部２０１が受け付ける入力情報は、電子キー１００の正当性を照合するための情報であり、この情報は暗号化されているものとする。以下の説明ではこの暗号化された照合用の情報を「照合用暗号化情報」と呼ぶ。
【００３２】
受信照合部２０２は、キーレスエントリシステムの受信機能を有している。受信照合部２０２は発信部１０２が発信した、特定小電力無線に準拠した信号を受信し、デジタル信号に復調する。更に、受信照合部２０２は、この復調した信号と暗号化情報記憶部２０４に格納されている照合用暗号化情報とを比較し、照合を行う。受信照合部２０２は、照合の結果を制御部２０３に通知する。
【００３３】
制御部２０３は、入力部２０１が受け付けた照合用暗号化情報を受信照合部２０２を経由して受け取り、受け取った照合用暗号化情報を暗号化情報記憶部２０４に格納して更新するように指示する。また、制御部２０３は、受信照合部２０２での照合結果が「合致」だった場合に、社員が出勤している又は退勤したと判断する。そして、制御部２０３は、受信照合部２０２が信号を受信した時刻と、出勤又は退勤した旨と、を紐付けてデータ記憶部２０５に記憶させる。これにより個人の勤務管理を行うことが可能となる。なお、受信照合部２０２が信号を受信した時刻ではなく、制御部２０３が出勤している又は退勤したと判断した時刻を記憶させるようにしてもよいし、他のタイミングで測定した時刻を記憶させるようにしてもよい。
【００３４】
暗号化情報記憶部２０４は、制御部２０３からの指示に従い照合用暗号化情報を格納し、記憶する。記憶している照合用暗号化情報の読み出しは、制御部２０３では行なわず、受信照合部２０２のみが呼び出し、照合を行なう。これにより、制御部２０３からの情報流出を防ぐことができ、照合用暗号化情報の機密性が保たれる。
【００３５】
続いて、図２のフローチャートを参照して本実施形態全体の動作について説明する。今回は、社員出勤時の動作を想定して説明する。
【００３６】
まず、本実施形態の利用者である社員が、会社に到着すると、電子キー１００のボタン１０１を押下する（ステップＳ１１）。
【００３７】
発信部１０２はステップＳ１１における押下に応じ、管理装置２００に対して信号を送信する（ステップＳ１２）。なお、ボタン１０１の押下により車のドア開閉などの反応が意図せずに生じてしまう場合も考えられる。この意図しない反応を防止するため、単に押下するのでなく、例えば所定の時間長押しした場合は、車のドア開閉に関する信号は発信せず、管理装置２００に対してのみ信号を発信するようにしてもよい。すなわち、管理装置２００に対してのみ信号発信と、車への信号発信とは異なる操作にて対応する。
【００３８】
また、管理装置２００が複数存在する場合には、複数の管理装置２００のそれぞれがステップＳ１３以降の処理を行ってしまうことも考えられる。これを防止するために、長押しの場合は、電子キー１００の発信部１０２から特定の信号（例えば、社員自身が使用する管理装置２００のＩＰアドレス（Internet Protocol Address））を出すようにしてもよい。そして、受信側の管理装置２００が自身に割り当てられているＩＰアドレスと、発信部１０２が送信してきたＩＰアドレスとを比較し、一致した場合にのみステップＳ１３以降の処理を行うようにしてもよい。
【００３９】
オフィス内の管理装置２００の受信照合部２０２は、電子キーからの信号若しくは特定信号を受信するとこの受信信号を復調する。そして、受信照合部２０２は、電子キー１０１からの会社到着を意味する信号（出勤信号）であるか照合する（ステップＳ１３）。
【００４０】
照合した結果、合致しなかった場合は（ステップＳ１４においてＮｏ）、動作を終了する。一方、照合した結果、合致した場合（ステップＳ１４においてＹｅｓ）は、管理装置２００は社員が出勤したと判断する（ステップＳ１５）。そして、データ記憶部２０５に、個人と出社時刻を記録し、保存する（ステップＳ１６）。
【００４１】
上述した本実施形態は、自動車のキーレスエントリシステムの受信機の暗号解読情報（照合用情報）を管理装置２００に入力することから、電子キー１０１（送信側）を使用して、容易に出勤や退勤を最大１０ｍ程度の範囲内にある管装置２００に知らせることが可能となるという効果を奏する。
【００４２】
続いて、第１の実施形態を変形した実施形態である第２の実施形態について説明する。図３を参照すると、本実施形態は第１の実施形態の電子キー１０１が電子キー１１０に置き換わっており、また、管理装置２００が管理装置２１０に置き換わっている点で第１の実施形態と相違する。
【００４３】
電子キー１１０は、ボタンを複数有している点で、電子キー１０１と相違する。具体的には、電子キー１１０は、第１のボタン１１１、第２のボタン１１２及び発信部１１３を含む。第１のボタン１１１と、第２のボタン１１２はそれぞれ異なる信号の送信に対応する。今回の例では、第１のボタン１１１は出社時の信号の送信を指示するためのボタンであり、第２のボタン１１１は退社時の信号の送信を指示するためのボタンであるものとする。なお、ボタンの数は特に限定されるものではなく、ボタン数を３つ以上としてもよい。この場合は、例えば３つ目のボタンを自動車のドア開閉のために用いる等する。
【００４４】
発信部１１３は、発信部１０２と同様に、各ボタンに応じた信号を、管理装置２１０に対して送信する。
【００４５】
一方、管理装置２１０は、管理装置２００に送信変換部２１６を更に追加している。具体的には、管理装置２１０は、入力部２１１、受信照合部２１２、制御部２１３、暗号化情報記憶部、及びデータ記憶部２１５及び送信変換部２１６を有している。
【００４６】
送信変換部２１６は、他の管理装置２１０やサーバへの信号の送信を行う部分である。本実施形態では、管理装置２１０に、キーレスエントリシステムの送信サーバとしての機能を持たせることにより、無線ＬＡＮや有線ＬＡＮといったインフラ設備を使用することなく、極少量のデータ通信を使って、複数のコンピュータ間やサーバ間での勤務管理データの共有化を実現する。これにより、本実施形態では、管理可能範囲を広げることを可能としている。この点について図４に表される具体例を参照して説明する。図４を参照すると、本実施形態は、電子キー１１０と、サーバ２１０−１０と、複数の管理装置２１０（第１の管理装置２１０−１〜第６の管理装置２１０−６）を含む。
【００４７】
各管理装置２１０は、同等の構成及び機能を有する管理装置である。また、サーバ２１０−１０も管理装置２１０と同等の構成及び機能を有するが、今回はサーバとして動作するため、説明の便宜上、管理装置２１０−１０ではなくサーバ２１０−１０と呼ぶ。
【００４８】
このように、所定の管理装置だけではなく全ての管理装置に、送信変換部２１６を含ませることにより、少量のデータを１０ｍ以内であれば、有線ＬＡＮ、無線ＬＡＮ、Ｂｌｕｅｔｏｏｔｈなどのインフラを利用することなくやり取りすることができる。
【００４９】
また、１０ｍごとに管理装置２１０が設置されていれば、管理装置２１０を中継することで、送信範囲を広げることができ、自席に設置されている管理装置２１０から離れた場所からでも、他の管理装置２１０を経由させることで、自席に設置されている管理装置２１０の起動を行うことが可能となる。
【００５０】
続いて、本実施形態の動作を図５−１、図５−２及び図５−３を参照して説明する。なお、今回の説明では、今回説明対象とする社員の自席に設置してある管理装置は、管理装置２１０−１であるものとする。
【００５１】
まず、社員が事前に自席に設置されている管理装置２１０−１からサーバ２１０−１０に対して、自分の電子キー１１０から出る送信データの割付を行う。
【００５２】
具体的には、管理装置２１０−１が各ボタンに関しての割付内容をサーバ２１０−１０に対して送信する（ステップＳ２１）。そして、サーバ２１０−１０が管理装置２１０−１から送信された内容で設定を行う（ステップＳ２２）。
【００５３】
割付は、例えば、電子キー１１０のようにボタンが２個ある場合、第１のボタン１１１は「出社」、第２のボタン１１２は「退社」と設定しておく。これにより、出社の場合、第１のボタン１１１を押せばよく、退社の場合、第２のボタン１１２を押せばよい。また、更に第３のボタンを設ける場合は、第３のボタンに一時外出や、出張等の割り付けを行うようにしてもよい。更に、管理装置２１０−１以外の他の管理装置２１０は照合が合致しないよう送信データにあらかじめ自席専用の情報を入れておくことが考えられる。これにより、サーバ２１０−１０が照合をした場合に、管理装置２１０−１についてのみ照合が合致することとなる。
【００５４】
次に、社員は電子キー１１０の、第１のボタン１１１又は第２のボタン１１２の何れかを押下し、これに応じた信号が発信部１１３より発信される（ステップＳ２３）。第１のボタン１１１を押した場合は、図中の「ａ」へ進み、第２のボタン１１２を押した場合は、図中の「ｂ」へ進む。
【００５５】
まず、図中の「ａ」へ進んだ場合について図５−２を参照して説明する。
【００５６】
サーバ２１０−１０の受信照合部２１２は、発信部１１３が発信した、第１のボタン１１１に対応した信号である第１の信号を受信する（ステップＳ２４）。
【００５７】
そして、受信照合部２１２受信した信号を復調し、この信号が管理装置２１０−１についてのものであると認識する。そこで、復調した信号を送信変換部２１６により再度、特定小電力無線に準拠した信号へと変換する。変換後の信号は送信変換部２１６より管理装置２１０−１に対して送信される（ステップＳ２５）。
【００５８】
管理装置２１０−１は、ステップＳ２５において送信された信号を受信する。ここで、管理装置２１０−１の受信照合部２１２の電源と管理装置２１０−１の受信照合部２１２以外の各部の電源とは別に設けるものとする。そして、受信照合部２１２の電源により受信照合部２１２は起動しているが、受信照合部２１２以外の各部は起動していない状態であるとする。この状態で信号を受信した受信照合部２１２は、照合を行い、照合結果が、合致であった場合は、受信照合部２１２以外の各部、すなわち管理装置２１０−１全体を起動させる処理を開始する（ステップＳ２６）。これによって、離れた位置から、自席に設けられた管理装置２１０−１を起動できるため、自席に到着するころには、管理装置２００−１の通常操作を可能にすることができる。例えば、管理装置２００−１をパーソナルコンピュータで実現しているのであれば、自席に到着するころにはパーソナルコンピュータが起動していることとなる。
【００５９】
一方、サーバ２１０−１０の受信照合部２１２は受信した信号と照合用暗号化情報を照合し（ステップＳ２７）、合致したら、データ記憶部２１５に個人名と出社時刻を保存する（ステップＳ２８）。
【００６０】
次に、図中の「ｂ」へ進んだ場合について図５−３を参照して説明する。
【００６１】
サーバ２１０−１０の受信照合部２１２は、発信部１１３が発信した、第２のボタン１１２に対応した信号である第２の信号を受信する（ステップＳ２９）。
【００６２】
そして、受信照合部２１２受信した信号を復調し、この信号が管理装置２１０−１についてのものであると認識する。そこで、復調した信号を送信変換部２１６により再度、特定小電力無線に準拠した信号へと変換する。変換後の信号は送信変換部２１６より管理装置２１０−１に対して送信される（ステップＳ３０）。
【００６３】
管理装置２１０−１は、ステップＳ３０において送信された信号を受信する。ここで、管理装置２１０−１の受信照合部２１２の電源と管理装置２１０−１の受信照合部２１２以外の各部の電源とは別に設けるものとする。そして、受信照合部２１２及び受信照合部２１２以外の各部のそれぞれが起動している状態であるとする。この状態で信号を受信した受信照合部２１２は、照合を行い、照合結果が、合致であった場合は、受信照合部２１２以外の各部をシャットダウン（休止）させる処理を開始する（ステップＳ３１）。これによって、離れた位置から、自席に設けられた管理装置２１０−１をシャットダウンできる。例えば、管理装置２００−１をパーソナルコンピュータで実現しているのであれば、電子キー１１０のボタンを押下するのみでパーソナルコンピュータをシャットダウンできることとなる。
【００６４】
一方、サーバ２１０−１０の受信照合部２１２は受信した信号と照合用暗号化情報を照合し（ステップＳ３２）、合致したら、データ記憶部２１５に個人名と退社時刻を保存する（ステップＳ３３）。
【００６５】
なお、上述の説明では、管理対象とするエリアを社屋とし、会社内における出勤及び退勤の管理に適用する例について実施形態として説明したが、本発明の実施形態はこれに限定されるものではない。例えば、会社ではなく会員制の店舗における入店や退店の管理にも適用可能である。また、それ以外にも本発明の要旨を逸脱しない範囲内において任意の用途に適用可能である。
【００６６】
また、以上に述べた各実施形態では、電子キー１００及び電子キー１１０は、自動車のキーレスエントリシステムにおける電子キーであるとして説明したが、自動車のキーレスエントリシステムにおける電子キーに限定されず、ボタンになされた操作に応じて信号を発信する発信器であればよい。
【００６７】
また、上記実施形態では、受信照合部が管理装置に組み込まれているものとして説明した。しかし、受信照合部と管理装置を別のコンピュータとして実現し、バスやＵＳＢ規格に準拠したケーブル等の手段を用いて接続するようにしてもよい。また、接続は有線接続であってもよいがその一部又は全部を無線による接続としてもよい。
【００６８】
更に、上記実施形態では、プログラムが、管理装置に予め記憶されているものとして説明した。しかし、コンピュータを、管理装置の全部又は一部として動作させ、あるいは、上述の処理を実行させるためのプログラムを、フレキシブルディスク、ＣＤ−ＲＯＭ（Compact Disc Read-Only Memory）、ＤＶＤ（Digital Versatile Disc)、ＭＯ（Magneto Optical Disk(Disc)）ＢＤ（Blu-ray Disc）等のコンピュータ読み取り可能な記録媒体に格納して配布し、これを別のコンピュータにインストールし、上述の手段として動作させ、あるいは、上述の工程を実行させてもよい。
【００６９】
さらに、インターネット上のサーバ装置が有するディスク装置等にプログラムを格納しておき、例えば、搬送波にプログラムを重畳させて、コンピュータにダウンロード等してプログラムを実行してもよい。
【００７０】
以上説明した、本発明の実施形態は、以下に記載するような効果を奏する。
【００７１】
第１の効果は、電子キーを使用して、出勤等を最大１０ｍ程度の範囲内にある管理装置に容易に通知できることである。
【００７２】
その理由は、電子キーに対応した照合用暗号化情報を管理装置に入力しておき、管理装置が照合を実施できるからである。
【００７３】
第２の効果は、単に出勤を通知するだけでなく、退勤等を通知できることである。
【００７４】
その理由は、電子キーのボタンを押す時間や回数を変えることで、長押しの場合は出勤、短く押した場合は帰宅、２回連続で短く押した場合は出勤後出張などの情報を付加した信号を送信できるからである。
【００７５】
第３の効果は、電子キーのボタンが２個以上ある場合、各ボタンに固有の意味を持たせること（例えば第１のボタンは出勤、第２のボタンは退勤）が可能である。
【００７６】
その理由は、予め管理装置によりボタン毎に意味の割付ができるからである。
【００７７】
第４の効果は、伝達範囲を広げることが可能なことである。
【００７８】
その理由は、複数の管理装置に送信機側機能を持たせ、送信機能を持った管理装置を通信可能な所定の距離ごとに配置することにより、送信信号を中継できるからである。
【００７９】
上記の実施形態の一部又は全部は、以下の付記のようにも記載されうるが、以下には限られない。
【００８０】
（付記１）  電子キーと通信可能な管理装置であって、
前記電子キーから送信される信号の正当性を照合するための照合用情報を記憶する第１の記憶手段と、
前記電子キーから発信される特定省電力無線に準拠した信号を受信し、該受信した信号と、前記照合用情報とを照合する受信照合手段と、
前記受信照合手段による照合結果が、合致だった場合に前記電子キーを利用する利用者が管理対象とするエリアに入退出したと判断し、現在の時刻と、入退出した旨とを紐付けて記憶する第２の記憶手段と、
を備えることを特徴とする管理装置。
【００８１】
（付記２）  付記１に記載の管理装置であって、
前記電子キーから第１の信号が送信されてきた場合であって、該第１の信号についての前記照合の結果が合致だった場合に前記電子キーを利用する利用者が管理対象とするエリアに入ったと判断し、現在の時刻と、入った旨とを紐付けて記憶し、
前記電子キーから第２の信号が送信されてきた場合であって、該第２の信号についての前記照合の結果が合致だった場合に前記電子キーを利用する利用者が管理対象とするエリアから出たと判断し、現在の時刻と、出た旨とを紐付けて記憶することを特徴とする管理装置。
【００８２】
（付記３）  付記１又は２に記載の管理装置であって、
前記電子キーから発信される異なる内容の信号のそれぞれに、入退出に関する行動の何れかを割り付け、
受信した或る内容の信号についての前記受信照合手段による照合結果が、合致だった場合に前記電子キーを利用する利用者が前記或る内容の信号に前記割り付けられた行動を取ったと判断することを特徴とする管理装置。
【００８３】
（付記４）  付記１乃至３の何れか１に記載の管理装置であって、
当該管理装置を休止状態とする場合であっても、少なくとも前記受信照合手段は起動させておき、該休止状態時に行われた該受信照合手段による前記照合結果が、合致だった場合であって前記電子キーを利用する利用者が管理対象とするエリアに入ったと判断できた場合には該休止状態を解除して当該管理装置全体を起動させることを特徴とする管理装置。
【００８４】
（付記５）  付記１乃至４の何れか１に記載の管理装置であって、
前記受信照合手段による前記照合結果が、合致だった場合であって前記電子キーを利用する利用者が管理対象とするエリアから出たと判断できた場合には、当該管理装置を休止状態とすることを特徴とする管理装置。
【００８５】
（付記６）  電子キーと、該電子キーと通信可能な管理装置と、を含む入退出管理システムであって、
前記電子キーは、該電子キーが有する操作受付部に対しての、操作を継続して受けた時間、操作の受け付け回数、及び、操作を受け付けた操作受付部の種別、の何れか若しくはその組合せに応じて異なる信号を生成し、生成した該信号を特定省電力無線に準拠した信号に変換して前記管理装置に対して送信し、
前記管理装置は付記１乃至５の何れか１に記載の管理装置である、
ことを特徴とする入退出管理システム。
【００８６】
（付記７）  電子キーと、該電子キーと通信可能な複数の管理装置と、を含む入退出管理システムであって、
前記電子キーは、特定省電力無線に準拠した信号を前記複数の管理装置の何れかを宛先として前記複数の管理装置の何れかに対して送信し、
前記複数の管理装置は付記１乃至５の何れか１に記載の管理装置であり、
前記電子キーからの前記信号を受信した管理装置は、該管理装置が前記宛先とされた管理装置では無い場合は、該受信した信号を他の管理装置に対して特定省電力無線に準拠して送信する、
ことを特徴とする入退出管理システム。
【００８７】
（付記８）  電子キーと、該電子キーと通信可能な複数の管理装置と、を含む入退出管理システムであって、
前記電子キーは、特定省電力無線に準拠した信号を前記複数の管理装置の何れかを宛先として前記複数の管理装置の何れかに対して送信し、
前記複数の管理装置は付記１乃至５の何れか１に記載の管理装置であり、
前記複数の管理装置の何れかをサーバとし、前記電子キーからの前記信号を受信した該サーバとされた管理装置は該管理装置が前記宛先とされた管理装置では無い場合であっても該受信した信号に対して前記受信照合手段及び前記第２の記憶手段を動作させることを特徴とする入退出管理システム。
【００８８】
（付記９）  電子キーと通信可能な管理装置に組み込まれる管理プログラムであって、
前記電子キーから送信される信号の正当性を照合するための照合用情報を記憶する第１の記憶手段と、
前記電子キーから発信される特定省電力無線に準拠した信号を受信し、該受信した信号と、前記照合用情報とを照合する受信照合手段と、
前記受信照合手段による照合結果が、合致だった場合に前記電子キーを利用する利用者が管理対象とするエリアに入退出したと判断し、現在の時刻と、入退出した旨とを紐付けて記憶する第２の記憶手段と、
を備える管理装置としてコンピュータを機能させることを特徴とする管理プログラム。
【００８９】
（付記１０）  電子キーと、該電子キーと通信可能な複数の管理装置と、を含む入退出管理システムが行う入退出管理方法であって、
前記管理装置が、前記電子キーから送信される信号の正当性を照合するための照合用情報を記憶する第１の記憶ステップと、
前記電子キーが、特定省電力無線に準拠した信号を前記管理装置に対して送信する送信ステップと、
前記管理装置が、前記送信ステップにおいて前記電子キーから発信された特定省電力無線に準拠した信号を受信し、該受信した信号と、前記照合用情報とを照合する受信照合ステップと、
前記管理装置が、前記受信照合ステップによる照合結果が、合致だった場合に前記電子キーを利用する利用者が管理対象とするエリアに入退出したと判断し、現在の時刻と、入退出した旨とを紐付けて記憶する第２の記憶ステップと、
を有することを特徴とする入退出管理方法。
【符号の説明】
【００９０】
１００、１１０  電子キー
１０１  ボタン
１０２、１１３  発信部
１１１  第１のボタン
１１２  第２のボタン
２００、２１０、２１０−１〜２１０−６  管理装置
２１０−１０  サーバ
２０１、２１１  入力部
２０２、２１２  受信照合部
２０３、２１３  制御部
２０４、２１４  暗号化情報記憶部
２０５、２１５  データ記憶部
２１６  送信変換部
【図１】
2013041363.tif 000003
【図２】
2013041363.tif 000004
【図３】
2013041363.tif 000005
【図４】
2013041363.tif 000006
【図５−１】
2013041363.tif 000007
【図５−２】
2013041363.tif 000008
【図５−３】
2013041363.tif 000009